(57)【特許請求の範囲】
【請求項１】
「表面プラズモン共鳴」効果に基づく動的検出デバイスであって、
（ｉ）放射線エミッタ（２０）及び放射線検出器（３０）と、
（ｉｉ）流体基板（４０）であって、チャンネル（４３）と少なくとも１つの検出区域（４１）とを収容し、ここにおいて、検出表面ＤＳ（４２）は表面プラズモン共鳴効果の発生が可能となるように構成され、それによって、放射線エミッタ（２０）と放射線検出器（３０）との間の放射経路に前記流体基板が配置されることとなる流体基板と、
（ｉｉｉ）液晶層（８０）であって、前記放射線エミッタ（２０）と前記放射線検出器（３０）との間に配置され、かつ前記検出表面ＤＳ（４２）上への入射放射線（１０１）又は前記検出表面からの出射放射線（１０２）の別個の変更を生じさせる目的で、配向の少なくとも２つの状態を示すことができる液晶層と、
（ｉｖ）前記放射線の特性を動的に調節し、表面プラズモン共鳴信号の検出を最適化するために、液晶層（８０）の液晶分子（８３）の平均的配向を制御する制御手段と
を含み、
ここにおいて、前記制御手段は、前記液晶層（８０）が収束レンズ又は発散レンズのように振る舞うように制御して、前記液晶層（８０）の等価焦点距離の制御ないし調整を可能にし、前記検出区域（４１）の前記検出表面（４２）の近傍に発生する前記表面プラズモン共鳴効果を通じて化学的及び／又は生物学的イベントの判断を可能にする、
ことを特徴とするデバイス。
【発明の詳細な説明】
【技術分野】
【０００１】
本発明は、「表面プラズモン共鳴（ＳＰＲ）」効果に基づく電気光学センサに関し、特に、化学的及び／又は生物学的イベントの検出に用いる処理及びデバイスに関し、それらは、以下の要素：（１）放射線エミッタ（２０）及び放射線検出器（３０）と、（２）「検出表面（ＤＳ）」（４２）上に入射する放射線の少なくとも１つの入射角及び少なくとも１つの波長に対してＳＰＲ効果の発生を考慮するために構築された導電性薄層を組み込んだ「検出表面（ＤＳ）」（４２）を収容する「検出区域（ＤＺ）（４１）と、（３）チャンネル（４３）と（２）に説明した少なくとも１つのＤＺとを含む流体基板（４０）と、（４）所定の流体容積を最初のリザーバからＤＺ内に送出し、かつＤＺから最終リザーバに送出するために使用される流体制御機構と、（５）放射線エミッタ（２０）と放射線検出器（３０）との間に配置され、電気的、磁気的、又は光学的手段によって制御され、かつ放射線特性の制御を可能にするような方式で使用されて最適化ＳＰＲ信号をもたらす液晶層（ＬＣＬ）（８０）とを含み、このようにして検出デバイスの精度及び感度を改善する。
【背景技術】
【０００２】
化学的／生物学的検出デバイス
化学的／生物学的検出デバイスは、３つの主要な要素：（Ａ）特定の化学的及び／又は生物学的物質を認識することができる認識要素、（Ｂ）化学的／生物学的認識イベントを定量的情報に変換することができる変換機構、（Ｃ）流体試料を制御された方法で認識要素に送出することができる流体機構によって構成される。
【０００３】
（Ａ）認識要素
認識要素は、典型的にはキー・ロック原理に基づくものであり、以後検体と呼ぶ特定の化学的又は生物学的物質を認識することができる分子領域又はその組合せを含む。この効果を達成する異なる方法、すなわち、ランダムの又は配向した酵素、レクチン、又は抗体が存在する。この認識要素の性能は、いくつかのパラメータ、すなわち、（ｉ）感度（検出限界によって定められる）、（ｉｉ）特異性（検出される特定の検体の同じ媒体内に存在する他の物質を検出する感度の程度によって定められる）、（ｉｉｉ）経時的なその安定性に依存する。タンパク質又は酵素を伴う判断に使用される化学的／生物学的検出デバイスの場合には、認識要素は、特定の配向された抗体を収容する固定化層で通常構成される。
【０００４】
化学的／生物学的認識要素は、いくつかの異なる機構、すなわち、（ｉ）表面への化学吸着、（ｉｉ）ポリマーマトリクス上への封入、（ｉｉｉ）固体基板への共有結合を用いて取得することができる。化学的／生物学的認識要素の選択は、本発明の範囲を超えるものであるが、以上に示す説明は、このバイオセンシング要素を構築する最も一般的な可能性のフレームワークの概観としてのみ役立つものである。
【０００５】
（Ｂ）変換機構
化学的／生物学的イベントを以後の処理及び解析のために定量的情報に変換することができるいくつかの変換機構があり、すなわち、電気化学式、振動式、磁気式、及び光学式変換器である。ＳＰＲ効果の光学的検出は、本質的に、導電性表面に近い屈折率の測定技術である。従来型の屈折率計と比較したＳＰＲ検出の最も顕著な差異は、測定スケール及び検出処理に関するものであり、従来型の技術においては、全ての流体容積が、屈折率の平均測定値をもたらす光学的応答に寄与し、これに対して、ＳＰＲ検出の場合には、導電表面に近い流体の容積のみが関係する。更に、この後者の場合には、測定値は、ＳＰＲ効果が発生している導電層から離れて移動する時の減衰重みを用いる屈折率の加重平均に対応する。
【０００６】
ＳＰＲ効果
ＳＰＲ効果は、誘電特性の異なる２つの媒体の間のインタフェースにおける局所荷電密度振動から生じる光学的現象である。より詳細には、ＳＰＲ効果は、誘電性媒体と金属性媒体の間のインタフェースで発生する（参考文献１を参照されたい）。この場合には、表面プラズモン波は、偏光ＴＭを有する電磁波である（この波の磁気ベクトルは、伝播方向に垂直であり、境界平面に平行である）。ＳＰＲ伝播定数βは、式（１）によって説明することができる。
【数１】
0005704480.tif 000002
式中、λは入射波長であり、εmは金属の誘電定数であり（εm＝εmr＋ｉεmi）、εdは、誘電性媒体の誘電定数である。ＳＰＲは、εmr＜０かつ｜εm｜＜εdの場合にのみ発生する。この場合には、ＳＰＲ効果は、２つの媒体のインタフェースで伝播することになり、かつインタフェースから各媒体の大部分まで指数関数的に減衰することになる。他方、ＳＰＲ効果は、数十から数百ナノメートルの範囲の厚みを有する金属フィルムに関してのみ検出可能である（金フィルムの場合、ＳＰＲ効果は、２５ｎｍから１５０ｎｍの厚みで通常発生する）。
【０００７】
これらの事実により、かつ式（１）により、ＳＰＲの伝播定数βは、インタフェースに近い誘電性媒体内の屈折率の変動に極度に敏感である。その結果、ＳＰＲ効果は、感知用途に利用することができ、例えば、インタフェースに近いある一定の生物学的材料（タンパク質、酵素など）の固定化は、屈折率の局所変動（ナノメートルの長さスケールでの）をもたらすことになる（水ベースの溶液の屈折率は、通常、約１．３３であり、生物学的化合物の屈折率は、１．５４付近であるので）。屈折率のこの変化は、表面プラズモンの伝播定数の変化を生じさせ、その変化は、以下の節で説明するように光学的手段によって正確に検出することができる。
【０００８】
ＳＰＲ構成
ＳＰＲ効果を検出するためには、以下の３つの基本的な方法がある。
（ｉ）検出表面から反射された放射線の強度を放射線入射角の関数として測定すること。一般的に、所定の波長に対して、ＳＰＲ効果は、反射が最小である特定の入射角で明確に検出される。
（ｉｉ）検出表面から反射された放射線の強度を放射線波長の関数として測定すること。一般的に、固定入射角に対して、ＳＰＲ効果は、反射が最小である特定の放射線波長で明確に検出される。
（ｉｉｉ）検出表面から反射された放射線の位相を入射角又は放射線波長の関数として測定すること。この場合には、ＳＰＲ効果は、放射線の位相変動が最大である特定の入射角又は放射線波長で明確に検出される。
【０００９】
ＳＰＲ効果を適正に検出するために、異なる光学構成を使用することができ（参考文献２を参照されたい）、典型的には、表面プラズモンを作成し（照明要素、例えば、レーザ又は放射線放出ダイオード又はあらゆる他の適切な放射線源を用いて）、かつＳＰＲ効果も検出する（光学測定要素、例えば、ＣＣＤ、ＣＭＯＳ、光ダイオード、又はあらゆる他の適切な要素を用いて）光学システムが使用される。
ＳＰＲ効果は、境界平面に平行な入射波のベクトルの成分が表面プラズモン波の成分と一致する場合にのみ発生する。この特定の条件は、（ｉ）プリズム、（ｉｉ）導波路、（ｉｉｉ）回折格子によって通常提供される何らかの連結機構がある時にのみ存在することになる。当業者は、技術文献を読むことにより、すなわち、参考文献１を読むことによりこれらの連結技術を迅速に理解することができる。
【００１０】
（Ｃ）流体機構
流体制御、すなわち、外部ポンプ及びチューブを使用する従来型流体ポンピング、電気式圧力制御、音響／圧電式制御、動電学的制御、及び遠心式制御のための異なる機構を使用することができる。化学的／生物学的検出デバイスのこの要素の最適化は、本発明の範囲を超えている。
液晶層
液晶（ＬＣ）相又は液晶メゾ相は、液体と結晶の間の中間相であり、配向特性を示すものである（参考文献３を参照されたい）。ネマティックＬＣと呼ばれる特定の種類のＬＣは、分子の位置での不規則性と組み合わされたその分子の配向の規則性を示す。長い距離を通過して伝播するＬＣ分子の平均的配向方向を定めることができ、この方向は、例えば、ある一定のアラインメント表面によって定められる。更に、ある一定のＬＣ分子に対しては、外部電界を使用することができ、これも特定の配向を生じさせる。この場合には、ＬＣ分子の配向は、固定表面特性（アラインメント表面によって生じる）と結合電界力の間の競合に依存する（参考文献４を参照されたい）。
【００１１】
ＬＣ層は、２つの関連特性：（１）ＬＣ分子の平均的配向に平行又は垂直な放射線偏光に関してＬＣ層を通過する放射線伝播の不一致をもたらす光学的異方性と、（２）ＬＣ層を通過する放射線の偏光特性の変化を生じさせるＬＣ層に沿ったＬＣ分子の平均的配向の漸変的変化とを示している。特に、ＬＣ分子が放射線の波長よりも非常に大きいＬＣ層に沿った捩れピッチを示す時、システムは、導波路（放射線偏光がＬＣ分子の回転に追随する）のように挙動することになる。これは、Ｍ．Ｓｃｈａｄｔの発明に従った標準ＬＣデバイスの基本原理である（参考文献５を参照されたい）。ここで、ＬＣ層の捩れピッチが、放射線の波長と同程度のものである場合には、放射線偏光のより小さい回転、及び／又は波長／ピッチ比率に応じて反射及び／又は放射線偏光の逆回転が生じることになる。
【００１２】
光学システムで使用される可能なＬＣ層には異なる種類がある。捩れネマティックＬＣと呼ばれる最も普通の種類のＬＣ層は、ＬＣ層に沿ったＬＣ分子の平均方向の連続捩れ配向に基づいている。このＬＣ層は、いくつかのパラメータ、すなわち、捩れを生じさせるカイラルドーパントの濃度に基づく捩れピッチを特徴とする。外部電界を受けると、ＬＣ分子は、電界に沿って整列する傾向があり、こうして捩れが破壊される。印加電界を制御することにより、ＬＣ層の捩れピッチを適正に調節することができる。光学的品質（例えば、放射線拡散がないこと）を維持する必要があるシステムに対しては、一部の種類のＬＣ層（すなわち、ＰＤＬＣ層、又は顕著な放射線拡散を有する他のＬＣ層）はもはや適切ではない。
【００１３】
従来型ＳＰＲ検出デバイス
従来型ＳＰＲ検出デバイスは、予め定められて固定された特性、すなわち、入射角、偏光、及び波長に関する特性を有する光学システムを含む。
図１Ａは、プリズム構成での従来技術に従った従来型ＳＰＲ検出デバイスの概略図である。放射線エミッタ（２０）は、検出区域ＤＺ（４１）に位置する検出表面ＤＳ（４２）内にプリズム（９０）を通過して集束される放射線ビーム（１０１）を生成する。ＤＳは、流体の近傍の導電性薄層を含む。反射した放射線（１０２）は、放射線検出器（３０）に誘導される。放射線検出器（３０）で観測された放射線信号の解析は、物質の濃度又はＤＳ（４２）の近くで発生する化学的及び／又は生物学的イベントの定量的測定に使用される。この構成においては、デバイスは、固定された所定の光学特性、すなわち、放射線の波長、位相、及び入射角に関する特性を呈示する。
【００１４】
図１Ｂは、格子結合構成での従来技術に従った従来型ＳＰＲ検出デバイスの概略図である。放射線エミッタ（２０）は、「検出区域ＤＺ」（４１）に位置する検出表面ＤＳ（４２）内にプリズム（９０）を通過して集束される放射線ビーム（１０１）を生成する。ＤＳは、回折格子のように挙動する導電性薄層を含む。反射した放射線（１０２）は、放射線検出器（３０）に誘導される。放射線検出器（３０）で観測された放射線信号の解析は、物質の濃度又はＤＳ（４２）の近くで発生する化学的及び／又は生物学的イベントの定量的測定に使用される。ここでもまた、この構成において、デバイスは、固定された所定の特性、すなわち、放射線の波長、位相、及び入射角に関する特性を呈示する。
【００１５】
この構成において、放射線エミッタ（２０）は、固定された所定の光学特性、すなわち、
−放射線エミッタ（２０）のためのレーザを使用することにより、又はＬＥＤ又はいずれかの他の連続スペクトル源のような連続放射スペクトルを有する放射線エミッタ（２０）を使用することによって予め定めることができるパラメータである波長スペクトル、
−使用される光学要素により、すなわち、放射線エミッタ（２０）を構成する光学レンズによって定められるＤＳ（４２）上に入射する放射線の入射角の範囲、
−放射線エミッタ（２０）にレーザを使用する時に直線偏光又は円偏光に通常固定され、又はＬＥＤを使用する時に非偏光放射線である入射放射線の偏光、
−レーザが放射線エミッタに使用される場合に放射線がＤＳ（４２）に入射する放射線円錐内でコヒーレントである入射放射線の位相、
−ＤＳ（４２）上に入射する放射線の焦点、
−ＤＳ（４２）に接触する基板として使用される材料の屈折率、
−ＳＰＲ測定を行うために使用される標準流体の屈折率、
に関する光学特性を有する。
【００１６】
これらの異なるパラメータは、従来型ＳＰＲ検出デバイスにおいて予め定められて固定され、この事実がそれらの潜在的用途での限界を呈する。特に、それは、ＤＳ（４２）に接触する流体屈折率の検出範囲に関する制限因子である。更に、放射線検出器（３０）センサの検出ノイズ及び角分解能（すなわち、入射放射線の角度開口とセンサ内の検出要素の数との関係）に関連する限界も、従来型のＳＰＲ検出デバイスの分解能及び感度の制限因子である。
【００１７】
これらの事実は、ＳＰＲ検出の感度と適用範囲との両方を制限する。特に、従来型ＳＰＲ検出デバイスは、以下の限界を呈している。
（１）要求よりも高いノイズ信号をもたらす光学的欠陥（機械的疲労、放射線拡散、屈折率変化）の除去の難しさ。この事実は、小さな生物学的物質を検出する時に特に関連する。
（２）受容体−検体結合に起因するＳＰＲセンサ信号と、温度変化に起因する流体又はＤＳ（４２）基板のいずれかの屈折率変化との識別の難しさ。この事実は、ＤＳ（４２）の近くに存在する検体濃度に関する定量的情報へのＳＰＲ測定値の外挿を制限する（参考文献６を参照されたい）。
（３）検体の大きさに対応する望ましい厚みに対するＤＳ（４２）での最大感度に対する検出パラメータの調節の難しさ。
【００１８】
これらの限界を克服するために、本発明は、放射線エミッタ（２０）と放射線検出器（３０）の間に置かれ、放射線特性を調節し、それによって放射線検出器（３０）で観測されるＳＰＲ信号を増幅するために電気的、磁気的、又は光学的手段によって制御されるＬＣ層（８０）の使用を考察する。
米国特許ＵＳ２００３１０３２０８は、放射線偏光を９０°回転するために放射線エミッタとＤＳを形成する導電性層との間に置かれたＬＣ層を使用するプリズム構成を有するＳＰＲセンサに関する。この場合には、ＤＳに入射する放射線は、２つの偏光状態：（ｉ）ＴＭ偏光（インタフェースに平行）又は（ｉｉ）ＴＥ偏光（インタフェースに垂直）を有することができる。この特許は、プリズム構成でのＳＰＲセンサ及び放射線偏光が９０°回転されるデバイスに適用されるのみである。
【００１９】
欧州特許ＥＰ１１５７２６６は、ＳＰＲ検出デバイスに関し、制御可能偏光子のように挙動するＬＣ層を使用することが可能であろうと言及している。この参照した特許は、回折反射光学要素に基づくＳＰＲセンサデバイスに適用される。更に、この特許では、参照されたＬＣ層の可能な実施形態に関する言及はない。
欧州特許ＥＰ１０６８５１１及び米国特許ＵＳ２００３２０６２９０は、ＬＣ層が、ＳＰＲ効果に必要な放射線ビームの期間及び配置を選択するために電気的手段によって制御可能なダイアフラムとして使用されるＳＰＲ検出デバイスに関するものである。
【００２０】
以下の論文は、引用のために本明細書に含まれている：
１．Ｈｏｍｏｌａ、Ｊ．他著「センサ及びアクチュエータ」、５４巻、３−１５頁、１９９９年
２．Ｈｏｍｏｌａ、Ｊ．著「Ａｎａｌ  Ｂｉｏａｎａｌ  Ｃｈｅｍ」、３７７巻、５２８−５３９頁、２００３年
３．Ｐ．Ｇ．ｄｅ  Ｇｅｎｎｅｓ、Ｊ．Ｐｒｏｓｔ著「液晶の物理学」、第２版、Ｃｌａｒｅｄｏｎ、オクスフォード、１９９３年
４．Ｆｏｎｓｅｃａ、ＪＧ著「ＰｈＤ学位論文」、ストラスブール、２００１年
５．Ｈｅｌｆｒｉｃｈ、Ｗ．、Ｓｃｈａｄｔ、Ｍ、特許ＣＨ１９７１０００５２６０
６．Ｇ．Ｖｅｒｔｏｇｅｎ、Ｗ．Ｈ．ｄｅ  Ｊｅｕ著「サーモトロピック液晶：基礎」、ＥＰＳｉｎｇｅｒ−Ｖｅｒｌａｇ、ベルリン、１９８８年
７．Ｈｅｃｈｔ、Ｅ．著「光学」、Ａｄｄｉｓｏｎ  Ｗｅｓｌｅｙ  Ｌｏｎｇｍａｎ、１９９８年
８．Ｇｏｒｄｏｎ  Ｄ．Ｌｏｖｅ著「Ｐｒｏｃ．Ｓｏｃ．Ｆｏｔｏ．−Ｏｐｔ．Ｉｎｓｔｒｕｍ．Ｅｎｇ．」、２５６６：４３−４７頁、１９９５年
９．Ｈ．Ｒｅｎ他著「Ａｐｐｌ．Ｐｈｙｓ．Ｌｅｔｔ．」、８４巻、４７８９頁、２００４年
１０．Ｂｏｒｎ、Ｍ．及びＷｏｌｆ、Ｅ．著「光学の原理：光の伝播、干渉、及び回折の電磁理論」、Ｐｅｒｇａｍｏｎ  Ｐｒｅｓｓ、１９８９年
【先行技術文献】
【特許文献】
【００２１】
【特許文献１】ＵＳ２００３１０３２０８
【特許文献２】ＥＰ１１５７２６６
【特許文献３】ＥＰ１０６８５１１
【特許文献４】ＵＳ２００３２０６２９０
【特許文献５】ＣＨ１９７１０００５２６０
【非特許文献】
【００２２】
【非特許文献１】Ｈｏｍｏｌａ、Ｊ．他著「センサ及びアクチュエータ」、５４巻、３−１５頁、１９９９年
【非特許文献２】Ｈｏｍｏｌａ、Ｊ．著「Ａｎａｌ  Ｂｉｏａｎａｌ  Ｃｈｅｍ」、３７７巻、５２８−５３９頁、２００３年
【非特許文献３】Ｐ．Ｇ．ｄｅ  Ｇｅｎｎｅｓ、Ｊ．Ｐｒｏｓｔ著「液晶の物理学」、第２版、Ｃｌａｒｅｄｏｎ、オクスフォード、１９９３年
【非特許文献４】Ｆｏｎｓｅｃａ、ＪＧ著「ＰｈＤ学位論文」、ストラスブール、２００１年
【非特許文献５】Ｇ．Ｖｅｒｔｏｇｅｎ、Ｗ．Ｈ．ｄｅ  Ｊｅｕ著「サーモトロピック液晶：基礎」、ＥＰＳｉｎｇｅｒ−Ｖｅｒｌａｇ、ベルリン、１９８８年
【非特許文献６】Ｈｅｃｈｔ、Ｅ．著「光学」、Ａｄｄｉｓｏｎ  Ｗｅｓｌｅｙ  Ｌｏｎｇｍａｎ、１９９８年
【非特許文献７】Ｇｏｒｄｏｎ  Ｄ．Ｌｏｖｅ著「Ｐｒｏｃ．Ｓｏｃ．Ｆｏｔｏ．−Ｏｐｔ．Ｉｎｓｔｒｕｍ．Ｅｎｇ．」、２５６６：４３−４７頁、１９９５年
【非特許文献８】Ｈ．Ｒｅｎ他著「Ａｐｐｌ．Ｐｈｙｓ．Ｌｅｔｔ．」、８４巻、４７８９頁、２００４年
【非特許文献９】Ｂｏｒｎ、Ｍ．及びＷｏｌｆ、Ｅ．著「光学の原理：光の伝播、干渉、及び回折の電磁理論」、Ｐｅｒｇａｍｏｎ  Ｐｒｅｓｓ、１９８９年
【発明の概要】
【発明が解決しようとする課題】
【００２３】
本発明者は、それぞれのＳＰＲ検出デバイス性能を最適化するためにＳＰＲ効果に関して重要な一部のパラメータを動的に調節することが適切と考えられるという結論に達した。この枠組みでは、簡易な電気的又は光学的手段を用いるＬＣ層の制御によって放射線特性（反射放射線又は透過放射線）を調節することができるので、ＬＣ層が適切かつ有利であることが分った。放射線特性のこの調節は、ＳＰＲ効果に基づく検出デバイスと結合された時に、その全体的な性能を高める目的で利用することができる。
【課題を解決するための手段】
【００２４】
第１の態様において、本発明は、チャンネル（４３）及び少なくともＤＺ（４２）を収容する流体基板に導電性薄層を含むＤＳ（４２）の近傍に発生するイベントを検出するためにその両方が使用される放射線エミッタ（２０）及び放射線検出器（３０）から成る光学システムを含む。ＤＺ（４２）は、化学的及び／又は生物学的イベントの検出に使用されるＳＰＲの発生を可能にするような方法で構築される。検出デバイスは、放射線エミッタ（２０）と放射線検出器（３０）の間に配置されて電気的又は光学的手段によって制御されるＬＣ層（８０）も含む。ＬＣ層（８０）は、検出デバイスの精度及び感度を最適化するために放射線特性の制御された調節を可能にするような方式で制御される。
【００２５】
第２の態様において、本発明は、流体基板（４０）及び光学システムを含むＤＳ（４２）の近傍の化学的及び／又は生物学的イベントを検出することができるＳＰＲセンサ（１０）から成り、光学システムは、放射線エミッタ（２０）及び放射線検出器（３０）と、放射線特性を調節することができる放射線エミッタ（２０）と放射線検出器の間の放射線経路に配置されたＬＣ層（８０）とを含む。ＳＰＲセンサ（１０）は、（ｉ）特定の物質の存在、及び／又は（ｉｉ）流体基板の検出区域の１つにおける特定の化学的及び／又は生物学的イベントの発生を検出することができる。
【００２６】
流体基板（４０）に対する放射線エミッタ（２０）及び放射線検出器（３０）の配列は、ＤＳ（４２）に入射する放射線ビームが、ＳＰＲ効果がもたらされる導電薄層への結合が存在する少なくとも１つの入射角を含むような方式で固定される。この構成は、いくつかの特性又はパラメータ、特に以下のものに影響される。
−ＤＳ（４２）に入射する放射線の波長、
−導電層の屈折率、減衰係数、及び厚み、
−入射角、
−放射線偏光、
−ＤＺ（４１）に存在する流体の屈折率及び減衰係。
【００２７】
この意味で、かつ全てのパラメータが固定されると、ＳＰＲセンサ（１０）の放射線パターンの変化を観測し、かつこの情報からＤＳ（４２）の近傍の屈折率の変化を定量化することが可能である。この判断は、次に、ある一定の物質の表面固定化又はＤＳ（４２）の近くの２種類の分子の反応を定量化するのに使用される。
本発明の実施形態は、放射線エミッタ（２０）と放射線検出器（３０）の間の放射線経路に同じく配置された付加的なＬＣ層（８０）の使用により、上述の異なるパラメータの適正な調節を動的な方法でかつ検出処理中に可能にするものである。以下の節に説明する異なる実施形態は、従来型ＳＰＲ検出デバイスの既存の問題に対する異なる解決法に対応している。
【図面の簡単な説明】
【００２８】
【図１Ａ】プリズム構成における従来技術に従った従来型ＳＰＲ検出デバイスの概略図である。
【図１Ｂ】格子結合構成における従来技術に従った従来型ＳＰＲ検出デバイスの概略図である。
【図２Ａ】静止条件において分子がＬＣ層に沿った９０°の回転を示し（左）、ある一定の閾値（Ｖ＿ｔｈ）を超える外部電界を受けた時に捩れが最小にされ、分子が電界に沿って整列する（右）捩れネマティックＬＣ層内の分子の平均的配向の概略図である。
【図２Ｂ】十分高い電圧に対して捩れ角がゼロになる傾向がある、図２Ａに示すＬＣ層の全捩れ角の印加電圧の関数としての挙動の概略図である。
【図３Ａ】格子結合構成において検出表面に入射する放射線の偏光を制御するためにＬＣ層を使用するＳＰＲ検出デバイスの概略図である。
【図３Ｂ】異なる偏光で２つの信号（Ｓ１及びＳ２）を取得した後に２つの信号を割り算することによって取得ノイズを最小にし、最適化したＳＮ比を有する最終信号（Ｓ＿ＳＰＲ）を取得することができる、図３Ａに説明したデバイスの実施形態の概略図である。
【図４Ａ】両方が検出表面上の入射角の関数としての放射線強度（点線）及び放射線相対位相（実線）に関するＳＰＲ効果の挙動の概略図である。
【図４Ｂ】静止条件において分子平均的配向が均一であり、アラインメント表面方向に沿って整列し（左）、ある一定の閾値（Ｖ＿ｔｈ）を超える外部電界を受けた時に分子が電界に沿って整列する（右）均一ネマティックＬＣ層内の分子の平均的配向の概略図である。
【図４Ｃ】十分高い電圧に対して位相差がゼロになる傾向にある、図４に説明したＬＣ層の全体位相差（ＬＣ平均的配向方向に関する放射線の通常偏光方向と異常偏光方向の間の位相散逸）の印加電圧の関数としての挙動の概略図である。
【図５Ａ】ＬＣ層が検出表面に入射する放射線の位相散逸を制御するのに使用される、格子結合構成における本発明の第２の実施例に従ったＳＰＲ検出デバイスの概略図である。
【図５Ｂ】図５Ａに説明した検出デバイスに対する検出表面への入射角の関数としての放射線の位相散逸の変化の概略図である。
【図５Ｃ】従来型ＳＰＲセンサ（点線）及び図５Ａに説明したデバイスのためのセンサ（実線）の放射線検出器によって検出されたＳＰＲ信号の概略図である。
【図５Ｄ】図５Ａに説明した、ＬＣ層（８０）が入射方向に垂直な位相散逸を誘起する検出デバイスに対する放射線の位相散逸の関数としてＳＰＲ光学信号の強度の最小値が発生する２つの角の間の距離（Ｗ）の変化の概略図である。
【図６】コリメータレンズがエミッタの後に配置され、次に偏光子及びＬＣ層が平行放射線経路内に置かれ、最後に集束レンズが放射線を検出表面に誘導するために使用される、本発明によるＳＰＲ検出デバイスに対する放射線放出の光学サブシステムの概略図である。
【図７Ａ】図４Ａに説明したＬＣ層の印加電圧の関数として得られた屈折率の概略図である。
【図７Ｂ】静止条件（Ｖ＜Ｖ＿ＴＨ）においてＬＣ分子が均一平均的配向を示し（左）、印加電圧に基づいて（Ｖ＞Ｖ＿ＴＨの場合）屈折率の空間分布を形成することができる、ＬＣ層内の分子の平均的配向の概略図である。
【図７Ｃ】図７Ｂに示すＬＣ層の印加電圧の関数としての同等焦点距離の概略図である。
【図７Ｄ】２つのＬＣ層の群が一定の焦点距離を有する可変増幅の集束レンズとして作用するように使用される、本発明によるＳＰＲ検出デバイスに対する放射線放出の光学サブシステムの概略図である。
【図８】２つのＬＣ層の群が放射線信号増幅を制御するように検出表面と放射線検出器の間に配置される、本発明による検出デバイスの概略図である。
【発明を実施するための形態】
【００２９】
第１の態様において、本発明は、放射線エミッタ（２０）と、チャンネル（４３）及び少なくとも１つのＤＺ（４１）を含む流体基板（４０）のＤＺ（４１）のＤＳ（４２）の近傍に発生するイベントを検出するのに使用される放射線検出器（３０）とを含む、化学的及び／又は生物学的イベントの検出に使用されるＳＰＲセンサ（１０）から成る。ＤＺ（４１）は、ＳＰＲ効果の発生を可能にするような方法で構築された導電性薄層を含むＤＳ（４２）を収容する。ＳＰＲセンサ（１０）は、放射線エミッタ（２０）と放射線検出器（３０）の間に位置し、電気的又は光学的手段によって制御されてＳＰＲ光信号を最適化するような放射線特性の適正な調節を可能にするＬＣ層（８０）を含む。ＬＣ層（８０）を用いる放射線特性の適正な調節は、ＳＰＲ検出デバイスの感度及び精度の改善をもたらす。
【００３０】
第２の態様において、本発明は、流体基板（４０）及び光学システムを含むＤＳ（４２）の近傍に発生する化学的及び／又は生物学的イベントを検出することができるＳＰＲセンサ（１０）から成り、この光学システムは、放射線エミッタ（２０）及び放射線検出器（３０）と、放射線エミッタ（２０）と放射線検出器（３０）の間に位置するＬＣ層とを含む。ＬＣ層（８０）は、放射線特性を調節することができる。
ＳＰＲセンサ（１０）は、（ｉ）特定の物質の存在、及び／又は（ｉｉ）検出区域の１つでの特定の化学的及び／又は生物学的イベントの発生を検出することができる。
【００３１】
本発明の実施形態は、放射線エミッタ（２０）と放射線検出器（３０）の間の放射線経路内に位置する付加的なＬＣ層（８０）の使用により、動的な方法でかつ検出処理中に上述の異なるパラメータの適正な調節を可能にする。以下に説明する異なる実施形態は、従来型ＳＰＲの既存の問題に対する異なる解決法に対応する。
【実施例１】
【００３２】
ＳＰＲ効果は、導電性薄層と絶縁層の間のインタフェースに平行な放射線偏光（ＴＭ偏光）の成分に発生する。従来型ＳＰＲセンサは、ＳＰＲを最大にするためにこの偏光での入射放射線の強度を通常は最大にする。基準信号の欠如は、検出に対して問題であると考えられる。特に、基準信号の欠落は、異なる原因により、すなわち、放射線供給源及び検出に用いる基板の安定性及び均一性の不足に基いて、高い（要求よりも高い）信号ノイズを生じさせる。この問題を解消する１つの簡単な方法は、入射放射線の偏光を制御された系統的な方式で回転させることにある。このノイズは、最初の解析においては放射線偏光に無関係であるので、異なる偏光の２つの信号を得ることにより捕捉ノイズのかなりの部分をそこで除去することができる。例えば、２つの信号をＴＥ及びＴＭ偏光で取得し、２つの信号を割算（ＴＭ／ＴＥ）又は減算（ＴＭ−ＴＥ）することにより、ＳＰＲの寄与のみを分離することができる。この処理は、既知の特性を有するＬＣ層（８０）を用いて達成することができる。
【００３３】
図２Ａは、捩れネマティックＬＣ層内の分子の平均的配向の概略図である。静止条件（Ｖ＜Ｖｔｈ）において、ＬＣ分子（８３）の平均的配向は、ＬＣ層に沿った９０°の回転を示す（左）。十分に高い印加電圧（Ｖ＞Ｖｔｈ）に対して、ＬＣ分子（８３）は、電界に沿って整列する傾向があり、捩れは漸次的に最小にされる。
図２Ｂは、図２Ａに示すＬＣ層の全捩れ角の印加電圧の関数としての挙動の概略図である。電磁放射線の波長と比較した時に捩れピッチが十分大きい場合に、ＬＣ層は、導波路のように挙動し、それによって入射放射線偏光は、ＬＣ回転に沿って回転する。
【００３４】
例えば、その厚みの８倍のピッチを有するＬＣ層（８０）を用いると、ＬＣ層（８０）は、印加電圧に基づいて以下の２つの典型的な状態を示す。
（ｉ）印加電圧が十分に低い時（例えば、平面配向に対して、印加電圧がＦｒｅｄｅｒｉｋｓ閾値よりも低い、参考文献３を参照されたい）、ＬＣ層は、入射放射線偏光の９０°の回転を生じさせる。入射放射線は、ＬＣ層（８０）を通過し、次に、ＤＳ（４２）にその相対的強度を維持しながらＴＭ又はＴＥ偏光を有して入射する時に、その偏光の９０°回転を有するように選択されて整列させることができる、
（ｉｉ）十分高い電圧を受けた時、ＬＣ分子（８３）は、それらが印加電界と整列するようになるので、その回転は破壊される。この場合には、ＤＳ（４２）に入射する放射線は、１つの偏光成分（例えば、ＴＭ）を有するのみであることになる。
【００３５】
本発明の新規性は、
（ｉ）ＳＰＲ効果の発生を可能にするような方法で構築されたＤＳ（４２）を有する少なくとも１つのＤＺ（４１）を含む流体基板（４０）、
（ｉｉ）ＤＳ（４２）上に入射する放射線がＳＰＲ効果が発生する角度の範囲を含むような方法で配列された放射線エミッタ（２０）と放射線検出器（３０）の群、
（ｉｉｉ）放射線エミッタ（２０）と放射線検出器（３０）の間の放射線経路に配置されたＬＣ層（８０）であって、導波路として挙動するように構築され、それによってＬＣ層（８０）を通過する放射線の偏光も回転され、以下の順序の事項の達成を可能にするＬＣ層（８０）、
を含むデバイスから成る。
（１）基準電圧制御。ＬＣコントローラ（８４）がＬＣ層（８０）に十分低い電圧を印加し、それによってＬＣ分子（８３）は、ＤＳ（４２）に入射する放射線の偏光の回転を発生させる。
（２）基準信号取得。第１の信号Ｓ１が、ＤＳ（４２）に入射する放射線に２つの偏光成分（ＴＥ及びＴＭ）が存在する状態に対応して放射線検出器（３０）によって得られる。信号Ｓ１の取得は、全てのＬＣ分子を過渡的配向レジームから出すために、基準電圧の印加から所定時間（通常約ｍｓ台）の後に行われるべきである。
（３）電圧測定制御。ＬＣコントローラ（８４）が、ＬＣ層（８０）に十分高い電圧を印加し、それによってＬＣ分子（８３）は、印加電界に整列し、固有捩れが破壊される。このアラインメントのために、ＤＳ（４２）上に入射する放射線の偏光の回転はない。
（４）信号測定値取得。第２の信号Ｓ２が、ＤＳ（４２）に入射する放射線に１つのみの偏光成分（例えば、ＴＭ）が存在する状態に対応して放射線検出器（３０）によって得られる。信号Ｓ２の取得は、全てのＬＣ分子を過渡的配向レジームから出すために、基準電圧の印加から所定時間（通常約ｍｓ台）の後に行われるべきである。
（５）信号処理。最後に、ＳＰＲ信号が、２つの光学信号から次の関係式を用いて抽出される：
【数２】
0005704480.tif 000003
【００３６】
図３Ａは、格子結合構成でのＤＳ（４２）に入射する放射線の偏光を制御するためにＬＣ層（８０）を用いるＳＰＲ検出デバイス（１０）の概略図である。放射線エミッタ（２０）は、ＬＣ分子（８３）の平均的配向の４５°の全体捩れをその初期状態で示すＬＣ層（８０）に入射する光ビーム（１０１）を照射する。ＬＣ層（８０）は、放射線波長と比較した時に大きい捩れピッチを示し、導波路として挙動する。ＬＣ層（８０）は、電圧を印加することができるコントローラ（８４）に接続され、このような方法でＤＳ（４２）上の入射放射線（１０１）偏光が微調整される。異なる印加電圧に対応して放射線検出器（３０）で検出された信号の解析は、リアルタイムの基準信号の測定を可能にし、このような方法でＳＰＲ捕捉ノイズのかなりの部分を除去することができる。ＬＣ層（８０）を通過した後、放射線ビームは、透明基板（４４）を透過して、回折格子のように挙動する導電性薄層を含むＤＳ（４２）に入射する。ＤＳ（４２）は、流体と直接に接触する。反射信号（１０２）は、次に、放射線検出器（３０）に入射する。放射線検出器（３０）上の光信号の解析から、ＤＳ（４２）の近傍の検体の濃度を定量的に判断することができる。
【００３７】
図３Ｂは、図３Ａに説明したデバイスの実施形態の概略図である。４５°での（ＴＭ偏光方向に対して）入射放射線（１０１）の直線偏光に対応する最初の信号Ｓ１は、正確な測定を妨害するかなりの光学信号を含む。ＬＣ層（８０）に適切な電圧を印加することにより、入射放射線（１０１）のＴＭ偏光（０°）に対応する第２の光信号Ｓ２を取得することができる。この第２の信号も、かなりのノイズレベルである。このノイズは、大部分が偏光と無関係であるので、両方の信号の適切な割算によりＳＰＲ信号が判断され、殆ど全てのノイズが除去される。
この手法は、偏光に無関係なノイズに関してのみ有用であるので、Ｓ１とＳ２の間の遅延が捕捉ノイズの動きに比べて小さい場合には、この具体化は、ＳＰＲ効果の適正な測定を可能にするのみであることに注意すべきである。
【００３８】
ＬＣ層（８０）に入射する放射線（１０１）は、放射線偏光の均一性及び一定の回転を有するように、好ましくは、平行化すべきである。この場合には、ＤＳ（４２）に入射する放射線を集束させるのに使用される光学要素が、ＬＣ層（８０）とＤＳ（４２）を収容する流体基板（４０）との間に置かれるべきである。代替的に、当業者は、入射角の関数としての偏光回転の依存性を考慮に入れる限り、放射線が平行化されていない領域内にＬＣ層（８０）を置くことができる。
【００３９】
この実施例は、ＬＣ層の回転が４５°よりも小さいか又は大きく、又は入射放射線の偏光が異なっている場合の他の類似の状況に容易に拡張することができる。通例、ＳＰＲ信号Ｓ＿ＳＰＲは、次の関係式から得られる。
【数３】
0005704480.tif 000004
式中のａ１、ｂ１、及びｃ１は、ＬＣ分子（８３）の初期回転角、ＬＣ層（８０）の全初期捩れ、その厚み、及び印加電圧に依存するパラメータである。
【００４０】
ＬＣ分子（８３）の回転の程度を制御することが依然として可能である限り、ＬＣ層（８０）を制御するための他の方法を考慮することができる。例えば、磁気アクチュエータを使用することができ、この場合、ＬＣ分子は、通常は、印加磁場の方向に対して垂直に整列する傾向があることを考慮すべきである。ＬＣコントローラ（８４）が、電圧振幅を一定に保ち、電気信号周波数のみが変化されるこの実施形態の変形も考慮することができる。この場合には、当業者は、ＬＣ分子応答が印加電気信号周波数に強く依存する適正な周波数範囲を選択すべきである。
【実施例２】
【００４１】
反射放射線強度の検出に基づく従来型ＳＰＲ検出デバイスは、入射角の関数としての反射放射線の放射線強度レベルの測定に基づいている。この場合には、ＳＰＲ効果は、特定の入射角に対する反射放射線強度の強い低下によって明確に識別される。従って、ＳＰＲ検出は、反射放射線最小値の時間的変化の測定に基づいている。代替の手法では、反射放射線の相対位相の変動を測定することができ、それは、図４Ａに示すように、この相対位相の変動は、放射線強度で観測される遷移よりもＳＰＲ効果における極めて鋭い遷移を示すからである。
【００４２】
図４Ａは、放射線強度（点線）及び放射線相対位相（実線）の両方に関するＳＰＲのＤＳ（４２）への入射角の関数としての挙動の概略図である。相対位相は、放射線強度よりも極めて鋭いＳＰＲ結合での遷移を示している。この事実は、より良好な分解度を有するＳＰＲ検出デバイスを構築するために考慮することができる。
位相−測定構成には本質的な利点があるにも関わらず、従来型ＳＰＲ検出デバイスでのその実現は特に困難である。他方、図４Ｂ及び図４Ｃによれば、放射線位相散逸の適正な調節を可能にするような方法で構築されたＬＣ層（８０）を使用することができる。
図４Ｂは、均一ネマティックＬＣ層（８０）でのＬＣ分子（８３）の平均的配向の概略図である。ＬＣ分子の異方性の性質のために、放射線のＴＥ偏光成分とＴＭ偏光成分の間の位相散逸が観測される。静止条件（Ｖ＜Ｖｔｈ）において、分子平均的配向は、均一でその表面に平行であり、十分高い外部電界を受けた時（Ｖ＞Ｖｔｈ）、ＬＣ分子（８３）は、電界に沿って整列する傾向がある。
【００４３】
図４Ｃは、図４Ｂに説明したＬＣ層（８０）の全位相差（ＬＣ平均的配向方向に対する放射線の通常偏光方向と異常偏光方向の間の位相散逸）の印加電圧の関数としての挙動の概略図である。十分低い電圧（Ｖ＜Ｖｔｈ）に対しては、光学異方性のために、ＬＣ分子の全位相散逸は、固定されて、全ＬＣ層（８０）厚み及びＬＣ分子（８３）の平均的配向によって定まる。十分高い電圧に対しては（Ｖ＞Ｖｔｈ）、位相差は、ゼロになる傾向にあり、かつ関係式（４）によって定められる。
ＬＣ層（８０）の特性を知れば、誘起される位相散逸δを次の関係式によって正確に判断することができる。
【数４】
0005704480.tif 000005
式中、ｎo及びｎeは、ＬＣ層の通常屈折率及び異常屈折率であり、θ（ｚ）は、ＬＣ層（８０）に沿ったＬＣ分子（８３）の平均的配向である。
【００４４】
この実施例において、本発明者は、固定波長及びある一定の範囲の入射角を用いて、放射線エミッタ（２０）と放射線検出器（３０）の間の放射線経路内に置かれたＬＣ層（８０）を有するＳＰＲセンサ（１０）を考察した。ＳＰＲセンサ（１０）は、入射角の関数としての放射線強度の検出を可能にし、ＬＣ層（８０）は、光学的又は電気的手段による放射線偏光のＴＭ成分とＴＥ成分の間の光位相差の調節を可能にするような方法で構築かつ配置される。
【００４５】
図５Ａは、本発明のこの第２の実施形態による格子結合構成でのＳＰＲ検出デバイスの概略図である。放射線エミッタ（２０）は、ＬＣ層（８０）を通過する光ビームを照射し、このＬＣ層は、その静止条件で、ΔｎをＬＣの複屈折率、ＤをＬＣ層（８０）の全厚みとしたδ＝Δｎ*Ｄで与えられる、放射線偏光のＴＭ成分とＴＥ成分の間の位相変動を示している。ＬＣ層（８０）は、ＬＣコントローラ（８４）に接続され、このコントローラは、ＬＣ層（８０）に印加される電圧の制御を可能にする。印加電圧の振幅は、ＤＳ（４２）に入射する放射線偏光のＴＭ成分とＴＥ成分の間の位相差の微調整を可能にする。ＤＳ（４２）からの光信号は、偏光子（３１）を通過して放射線検出器（３０）に到達する。放射線検出器（３０）での光信号の解析は、ＤＳ（４２）の近傍の検体濃度の定量測定を可能にする。
【００４６】
この場合には、ＤＳ（４２）に入射する放射線は、両方が非ゼロである偏光成分（ＴＭ及びＴＥ）を含むことが有利であると考えられる。ＴＥ成分は、放射線強度又は位相に関しては入射角と関係なく変化せず（フレネル関係式によって表現され、屈折率及び減衰係数から得られる古典的変化を除いて（参考文献７を参照されたい））、入射角と基板及び流体の屈折率とに依存するのみである。これに対して、ＴＭ偏光成分は、ＳＰＲ効果に基づいて特定の入射角で鋭く変化する。例えば、放射線のＴＭ偏光成分の位相は、１０°よりも小さい入射角の範囲で通常１８０°を超える急激な遷移を示している。
【００４７】
図５Ｂは、図５Ａに説明したデバイスの検出表面に対してＤＳ（４２）への入射角の関数とした放射線位相散逸の変化の概略図である。ＤＳ（４２）からのＴＥ偏光成分の位相φ＿ＴＥは、顕著な変化を示さない。ＴＭ偏光成分の位相φ＿ＴＭは、ＳＰＲ効果が発生する特定の入射角に接近して鋭く変化する。最初は、ＴＥ偏光成分とＴＭ偏光成分の間の全位相差は通常大きい。印加電圧の関数として付加的な位相差φ＿ＬＣを誘起するＬＣ層（８０）を使用することにより、ＳＰＲが発生する入射角で位相差をゼロとするために、ＤＳ（４２）に入射する放射線（１０１）の２つのＴＥ偏光成分とＴＭ偏光成分の間の位相差を適切に調節することができる。
【００４８】
検出偏光子（３１）は、入射放射線（１０２）の偏光方向に対して垂直方向にＤＳ（４２）と放射線検出器（３０）の間に置かれる。すなわち、２つの偏光成分の間の位相散逸がゼロの時、検出偏光子の後での光の全消光が観測され、それに対して検出偏光子（３１）の後での最大の放射線強度は、９０°の位相散逸（４分の１波長）に対して観測される。この事実は、直線偏光子（３１）によって生じる効果に由来し、それは、この偏光子を通過する放射線の強度が次の関係式（５）に従うことによる。
【数５】
0005704480.tif 000006
式中、Ｉ0は、偏光子に入射する放射線の強度であり、αは、入射放射線（１０２）の直線偏光と偏光子の主方向との間の角度である。
ＴＭ成分の相対位相での鋭い変化のために、ヌル又は１８０°位相散逸に対応する２つの入射角に対する２つの消光を観測することができる。図５Ｃによれば、これらの２つの放射線消光の間に９０°の位相散逸に対応する放射線強度の極大値が存在する。
【００４９】
図５Ｃは、従来型ＳＰＲ検出デバイスに対する放射線検出器によって検出されたＳＰＲ信号（点線）と、検出偏光子（３１）がＳＰＲ角にほぼ平行に置かれている図５Ａに説明したデバイスに対する信号（実線）との概略図である。ＤＳ（４２）から発する放射線のＴＭ成分相対位相の鋭い変化のために、検出偏光子（３１）を通過した後にこの信号は鋭い遷移を示している。その間に極大値を有する角距離Ｗの離間した放射線強度の２つの最小値が観測される。最小強度の角度は、検出偏光子（３１）の主方向に垂直な直線偏光に対応する。距離Ｗは、ＳＰＲ効果が発生する入射角に対して位相散逸（Δφ＝φ＿ＴＥ＋φ＿ＬＣ−φ＿ＴＭ）がヌルになる時に最小にされることが見出されている。
【００５０】
放射線偏光のＴＭ成分とＴＥ成分の間の位相差を変化させる目的でＬＣ層（８０）に電圧を印加することにより、２つの消光の角度位置を調節することができる。これらの消光の間の角距離Ｗは、ＳＰＲ効果が発生する入射角から離れると増大し、それに接近すると減少する。従って、この角距離を最小にするためにＬＣ層（８０）への印加電圧を制御することができ、このようにしてＳＰＲ効果が発生する角度に対応する最小角距離を判断することができる。
【００５１】
本発明を用いれば、入射放射線の位相差変化と、ＳＰＲが発生する角度も同時に測定することができる。ＬＣ分子（８３）の平均的配向は印加電圧に依存するので、ＬＣ層（８０）によって誘起される全位相散逸の適切な制御は実現可能である。これらの２つの効果（ＬＣ層によって誘起される位相散逸及び検出偏光子によって誘起される効果）を組み合わせることにより、従来型ＳＰＲセンサと比較して極めて良好なコントラストを有するＳＰＲ信号を取得することができる。
この第２の実施形態の結果は、従来型ＳＰＲセンサにおいては、固定４分の１波長要素、又はＤＳ（４２）に入射する放射線のＴＭ偏光成分とＴＥ偏光成分の間の固定位相散逸を導入すると考えられる別の要素を用いてのみ達成されると考えられるが、それにも関わらず、両方の偏光成分の間の位相散逸を動的には制御できない。
【００５２】
この実施例は、異なる構成を有するＳＰＲセンサ（１０）、すなわち、プリズム構成及び回折結合構成のものに拡張することができる。ＬＣ層（８０）を制御するために他の手段を用いる時、ＬＣ分子（８３）の平均的配向を適正に調節することができれば、同じ結果を得ることも可能である。
偏光子（３１）が、ＳＰＲ効果が発生する入射角に対して直線偏光方向に垂直に整列した代替的な構成を使用することも可能である。この場合には、図５Ｃに示されているものと類似であるが、角距離Ｗの離間した２つの極大を伴ってＳＰＲ効果の発生する入射角に最小値を有する信号が観測される。
１つの他の代替的構成は、入射角の変化の方向に垂直な方向での位相散逸φ＿ＬＣの勾配を備えたＬＣ層（８０）を有することにある。この場合には、放射線検出器（３０）によって得られた光信号は２次元であり、各ラインが図５Ｃに説明したのと同じ挙動を示している。
【００５３】
図５Ｄは、図５Ａに記載した検出デバイスに対する放射線位相差の関数としてのＳＰＲ光信号の強度の最小値に対する角度の変化の概略図であり、ＬＣ層（８０）は、入射角の変化に垂直な方向に位相差を誘起する。この場合には、検出は、図５Ｃに説明したのと類似の挙動が各ラインに観測されるマトリックス型の２次元放射線検出器（３０）を用いて行われる。位相散逸の漸次的変化は、放射線強度の２つの極小の間の最小距離Ｗに対応するラインのリアルタイムでの判断を可能にする。
【００５４】
上述の他の構成とは逆に、ＬＣ層（８０）に印加される電圧の適正な調節を信号取得の間に適用することができるので、本方法が採用される時に、当業者はいくつかの利点を見出すことができる。
全ての以前の構成は、放射線エミッタ（２０）とＤＳ（４２）の間に配置されたＬＣ層（８０）を考慮している。これは、それが平行放射線ビームの使用及びＬＣ層（８０）の後に集束要素を配置することを可能にするので、その簡素性のために好ましいと通常考えられている。
【００５５】
図６は、本発明によるＳＰＲ検出デバイスのための放射線放出の光学サブシステムの概略図であり、コリメータレンズ（２２）が放射線エミッタ（２０）の後に使用され、エミッタ偏光子（２３）が、平行放射線経路内のこのレンズとＬＣ層（８０）の間に配置される。エミッタ偏光子（２３）は、入射放射線ビームの直線偏光を最適化するのに使用される。ＬＣ層（８０）を通過した後に、放射線は、集束レンズ（２４）によってＤＳ（４２）上に集束される。
【００５６】
図６に説明した構成は、エミッタサブシステムの可能な構成のうちの１つであるが、他の可能な組合せも、上述のものと同じ効果を得るために使用することができる。例えば、放射要素（２１）としてレーザを使用する時、レーザは、通常は偏光を放射するので、エミッタ偏光子（２３）を除去することができるであろう。データ処理が、偏光子（２３）及びＬＣ層（８０）への変動入射角の影響を考慮している時は、コリメータレンズ（２２）も除去することができる。コリメータレンズの除去は、付加的なノイズをもたらす場合があるが、当業者は、信号処理アルゴリズムにこの最後の影響を適正に考慮に入れることができる。
ＬＣ層（８０）がＤＳ（４２）と放射線検出器（３０）の間の光路内に置かれる代替の構成を考慮することも可能である。この後者の場合には、ここでもまた、ＬＣ層（８０）及び検出偏光子（３１）への変動入射角の影響が存在することになり、そのためにこの影響を適正に考慮すべきである。
【実施例３】
【００５７】
従来型ＳＰＲ検出デバイスは、固定した入射角度範囲でＤＳ（４２）に入射する放射線ビームを通常用いる。この事実は、ＳＰＲ検出デバイスの感度及び検出範囲に関する制限因子ともなる場合がある。そこで、ＤＳ（４２）に入射する放射線の入射角の範囲に影響を与えることにより、容易な手段で感度限界及び／又は検出範囲を制御する可能性を有するＳＰＲ検出デバイスの使用に関心が寄せられるであろう。
【００５８】
本発明の第３の実施形態は、ＤＳ（４２）に入射する放射線ビームの入射角を適正に調節するためのＬＣコントローラ（８４）によって制御され、放射線エミッタ（２０）とＤＳ（４２）の間に配置された２つのＬＣ層（８５）及び（８６）の使用にある。ＬＣ層は、局所屈折率変化の効果により、すなわち、外部印加電圧の関数として、レンズのように挙動することができる（参考文献８を参照されたい）。
【００５９】
図７Ａは、図４Ｂに説明したＬＣ層（８０）の印加電圧の関数としての生じた屈折率の概略図である。ＬＣ層（８０）の平均屈折率は、低い印加電圧（Ｖ＜Ｖ＿ＴＨ）に対する通常屈折率ｎoと十分高い印加電圧に対する異常屈折率ｎeとの間で変化する。
図７Ｂは、光学レンズのように挙動するＬＣ層の概略図である。静止条件において（Ｖ＜Ｖ＿ＴＨ）、ＬＣ分子（８３）の平均的配向は均一であり、上部及び下部ＬＣ基板に対して平行である。十分に高い電圧に対して、ＬＣ分子は、電界に沿って整列する傾向にあり、従って、空間パターンを示している。固定印加電圧に対して、ＬＣ層（８０）の中央部では、そのより外側の領域と比較した時に印加電圧に関するその分子のより高度のアラインメントを示すＬＣ層（８０）を形成することができる。ＬＣ分子（８３）の平均的配向の漸次的変化は、ＬＣ層（８０）の平均屈折率の空間パターンを生じさせ、そのためにこの層は、光学レンズのように挙動する。
【００６０】
図７Ｃは、図７Ｂに示すＬＣ層（８０）の印加電圧の関数としての同等焦点距離の概略図である。印加電圧が高まると、ＬＣ層（８０）の同等焦点距離は短くなる。ある限度内では、同等焦点距離は、印加電圧との線形従属性を示している。
この効果を利用して光学レンズとしてのＬＣ層の使用を可能にするいくつかの可能な構成がある（参考文献８及び９を参照されたい）。ＳＰＲセンサ（１０）特性を考慮すれば、ＤＳ（４２）に入射する放射線に対して一定で固定された焦点距離を有することが有利であると考えられる。２つの薄いレンズの結合の合成焦点距離は、関係式（６）によって与えられる。
【数６】
0005704480.tif 000007
式中、ｄは、２つのレンズの間の距離であり、ｆ1及びｆ2は、それぞれ、レンズ１及びレンズ２の焦点距離である（参考文献７を参照されたい）。入射角の全範囲は、Δαによって定められる。
【００６１】
図７Ｄは、本発明によるＳＰＲ検出デバイスのための放射線放出の光学サブシステムの概略図であり、それを一定の焦点距離を有する可変増幅の集束レンズのように作動させるために、２つのＬＣ層（８５）及び（８６）が使用されることを特徴とする。放射線エミッタ（２０）は、同等焦点距離ｆ1を特徴とする第１のＬＣ層（８５）に平行放射線ビームを照射する。第１のＬＣ層（８５）から距離ｄに置かれた第２のＬＣ層（８６）は、焦点距離ｆ2を特徴とする。これらの２つのＬＣ層の群は、ＬＣ層（８５）及び（８６）に印加される電圧を単に調節することにより、それが一定の焦点距離ｆ及び制御可能な入射角の範囲Δθを示すような方法で構築かつ配置される。
【００６２】
ＬＣ層（８５）及び（８６）の群は、一定の同等焦点距離ｆを有し、かつ関係式（６）に従う。入射角の全範囲Δθは、ＬＣ層（８５）及び（８６）に対する印加電圧によって制御可能であり、関係式（７）に従う。
【数７】
0005704480.tif 000008
この関係式（７）は、ＬＣ層（８５）及び（８６）が、距離ｄよりも非常に薄い時にのみ有効である。通常のＬＣ層は、１μｍから１００μｍの厚みを有し、ｄは、通常１ｍｍから１０ｍｍであるので、この関係式は、標準的な場合である。この距離がＬＣ層厚みと同程度である時も、入射角の範囲Δθに対する厳密な関係を判断することができるが、この後者の場合には、一定焦点距離の条件を維持することが困難である。
【００６３】
ＬＣ層の同等集束レンズの制御は、１ＫＨｚから１００ＫＨｚの標準的な信号周波数及び０Ｖから５０Ｖの電圧振幅を有する外部電圧を印加することによって得ることができる。ＬＣ層の有効屈折率は、いくつかのパラメータ、すなわち、とりわけ、ＬＣ層の構造と、その厚みと、ＬＣ分子の弾性定数、光学定数、及び誘電率の間の関係と、ＬＣ分子とＬＣ基板の間の固定強度とに依存して印加電圧によって変えることができる。簡易化された手法において、かつある一定の限界内で、印加電圧を変化させる時のＬＣ層の同等焦点距離の線形従属性を観測することができる。
【００６４】
例えば、印加電圧に依存してその同等焦点距離を１ｍｍから１０ｍｍに直線的に各々変化させるような方法で構築された２つのＬＣ層（８５）及び（８６）を考察する。例えば、１０Ｖの印加電圧を有することが１０ｍｍの同等焦点距離を生じさせ、２０Ｖは、１ｍｍの焦点距離をもたらす。この２つのＬＣ層は、１０ｍｍの間隔で配置され、平行放射線ビームは、第１のＬＣ層（８５）に到達する時に５ｍｍの直径を有する。この実施例において、ＤＳ（４２）に入射する放射線は、２０ｍｍの全焦点距離を有することになる。ここで、この全焦点距離を２０ｍｍに維持し、式（６）及び式（７）により、入射角の全範囲Δθは、４８°（Ｖ１＝２０．０００Ｖ及びＶ２＝１４．２１５Ｖで）から１．８°（Ｖ１＝１２．２２２Ｖ及びＶ２＝１９．０９１Ｖで）まで変化させることができる。
本発明のこの実施例の実際の使用は、一定の焦点距離を有する可変増幅レンズのように挙動するＬＣ層の群によって生じる光学収差及び歪の判断及び制御における特別な注意を当業者に要求する場合がある。この判断及び制御は、ＳＰＲ効果に基づく検出に付随するノイズを最小にするために、精度を持って得ることができる（参考文献１０を参照されたい）。
【００６５】
本発明のこの第３の実施形態は、ＳＰＲに基づく検出デバイスの他の構成、すなわち、プリズム構成又は格子結合構成の場合に拡張することができる。印加電圧振幅が一定に保たれて信号周波数のみが変化するＬＣ層（８５）及び（８６）のＬＣ分子（８３）の平均的配向を制御するための他の手段を有利に考えることができる。この場合には、当業者は、ＬＣ分子（８３）応答が信号周波数に強く依存する適切な周波数範囲を選択することができる。
【００６６】
この実施形態の別の代替の構成は、ＤＳ（４２）と放射線検出器（３０）の間の光路内部に配置された２つのＬＣ層（８５）及び（８６）の使用にある。この最後の構成は、高い光学品質を有する全ての要素が放射線エミッタ（２０）の近くに配置され、そのためにＤＳ（４２）でのＳＰＲ効果が最適化されるので有利と考えることができる。この後者の場合には、第１のＬＣ層（８５）の前に平行ビームを有するように、ＤＳ（４２）とＬＣ層（８５）及び（８６）との間に配置された付加的な検出レンズ（３２）の使用を含むことができる。
【００６７】
図８は、２つのＬＣ層の群が、放射線信号の増幅を制御するために検出表面（４２）と放射線検出器（３０）の間に配置された本発明による検出デバイスの概略図である。入射放射線（１０１）は、ＤＳ（４２）で反射され、反射放射線（１０２）は、検出レンズ（３２）を透過し、次に、ＬＣ層（８５）及び（８６）を通過し、放射線検出器（３０）に到達する。ＬＣ層（８５）及び（８６）は、ＬＣコントローラ（８４）によって制御される。ＬＣ層（８５）及び（８６）に対する印加電圧を適切に調節することにより、反射放射線（１０２）の発散角度を制御することができる。この制御は、ＳＰＲセンサ（１０）の検出範囲及び感度限界の調節を可能にする。
【００６８】
この場合には、ＬＣ層（８５）及び（８６）の群は、ＳＰＲ効果が発生する角度の周囲の光信号増幅の制御を可能にする。例えば、ＳＰＲ光信号の最小許容コントラストを判断することができ、ＳＮ比をある程度一定に保って検出デバイスの分解能を最大にするために、次に、ＬＣ層（８５）及び（８６）の増幅が漸次的に調節される。
これらの実施例は、従来型ＳＰＲ検出デバイスと比較してより良好な性能による化学的及び／又は生物学的イベントの検出を可能にするＬＣ層を用いるＳＰＲセンサ（１０）を構築かつ使用するための本発明の一部の異なる可能な実施形態を明らかにするものである。
【００６９】
略語のまとめ
ＳＰＲセンサ１０
放射線エミッタ２０
放射要素２１
コリメータレンズ２２
エミッタ偏光子２３
集束レンズ２４
放射線検出器３０
検出偏光子３１
検出レンズ３２
流体チャンネル４０
検出区域（ＤＺ）４１
検出表面（ＤＳ）４２
チャンネル４３
基板４４
液晶（ＬＣ）層８０
下部ＬＣ基板８１
上部ＬＣ基板８２
ＬＣ分子８３
ＬＣコントローラ８４
第１のＬＣレンズ層８５
第２のＬＣレンズ層８６
プリズム９０
入射放射線１０１
出射放射線１０２
【符号の説明】
【００７０】
２０  放射線エミッタ
３０  放射線検出器
４１  検出区域
４２  検出表面
４３  チャンネル
【図１ａ】
0005704480.tif 000009
【図１Ｂ】
0005704480.tif 000010
【図２Ａ】
0005704480.tif 000011
【図２Ｂ】
0005704480.tif 000012
【図３Ａ】
0005704480.tif 000013
【図３Ｂ】
0005704480.tif 000014
【図４Ａ】
0005704480.tif 000015
【図４Ｂ】
0005704480.tif 000016
【図４Ｃ】
0005704480.tif 000017
【図５Ａ】
0005704480.tif 000018
【図５Ｂ】
0005704480.tif 000019
【図５Ｃ】
0005704480.tif 000020
【図５Ｄ】
0005704480.tif 000021
【図６】
0005704480.tif 000022
【図７Ａ】
0005704480.tif 000023
【図７Ｂ】
0005704480.tif 000024
【図７Ｃ】
0005704480.tif 000025
【図７Ｄ】
0005704480.tif 000026
【図８】
0005704480.tif 000027